(57)【要約】    【課題】前飾り部材を遊技盤に装着した後に、その前飾り部材に証紙台を装着できるようにする。    【解決手段】機種情報が表示された証紙４１を貼付する証紙台４０と、この証紙台４０を遊技盤１２の前飾り部材３９に着脱自在に装着する装着手段４４とを備える。装着手段４４は証紙台４０に設けられたヒンジ軸４３と、このヒンジ軸４３を回動自在に枢支する枢支部７１とを有し、この一対の枢支部７１の少なくとも一方は、前飾り部材３９との間でヒンジ軸４３を押える押え具７３を有する。押え具７３は前飾り部材３９に前側から装着され且つ前飾り部材３９の裏側で解除可能である。【選択図】図９
2013179949.tif 000002
【特許請求の範囲】
【請求項１】
機種情報が表示された証紙を貼付する証紙台と、該証紙台を遊技盤の前飾り部材に着脱自在に装着する装着手段とを備えた遊技機において、前記装着手段は前記証紙台を前記前飾り部材の前側から装着し、前記証紙台の取り外し時には前記前飾り部材の裏側から解除するようにしたことを特徴とする遊技機。
【請求項２】
前記装着手段は前記証紙台に設けられたヒンジ軸と、該ヒンジ軸を回動自在に枢支する一対の枢支部とを有し、該一対の枢支部の少なくとも一方は、前記前飾り部材との間で前記ヒンジ軸を押える押え具を有し、該押え具は前記前飾り部材に前側から装着され且つ前記前飾り部材の裏側で解除可能であることを特徴とする請求項１に記載の遊技機。
【請求項３】
前記一対の枢支部の内、一方の枢支部は前記ヒンジ軸が着脱自在に挿通され、他方の枢支部は前記前飾り部材に設けられ且つ前記ヒンジ軸を受ける受け部と、該受け部との間で前記ヒンジ軸を押える前記押え具とを有することを特徴とする請求項２に記載の遊技機。
【請求項４】
前記証紙台は前記遊技盤を遊技盤装着枠に固定する固定手段を前側から覆う証紙台配置位置と、前記固定手段を操作可能にその前側から退避する退避位置との間で前記ヒンジ軸廻りに回動自在であることを特徴とする請求項２又は３に記載の遊技機。
【請求項５】
前記押え具は前記受け部との間で前記ヒンジ軸を押える押え部と、前記ヒンジ軸の両側で前記押え部から前記前飾り部材側に突出する係合爪とを有し、前記係合爪は前記前飾り部材に前側から挿入されて裏側で前記前飾り部材に係合することを特徴とする請求項２〜４の何れかに記載の遊技機。
【請求項６】
前記証紙台を前記証紙台配置位置に保持する第１保持手段と前記退避位置に保持する第２保持手段とを備え、前記第１保持手段は前記ヒンジ軸から離れた位置に、前記第２保持手段は前記ヒンジ軸の外周近傍に夫々配置されていることを特徴とする請求項４に記載の遊技機。
【発明の詳細な説明】
【技術分野】
【０００１】
本発明は、証紙を貼付する証紙台を遊技盤の前飾り部材に着脱自在に備えた遊技機に関するものである。
【背景技術】
【０００２】
パチンコ機、アレンジボール機等の弾球遊技機は、遊技ホールに納入して設置する場合に、製造企業名、管理番号等の機種情報が表示された証紙を、ガラス扉の窓孔を通して視認可能に遊技盤の前面側に貼付する必要がある。そこで、従来の弾球遊技機では、遊技盤の遊技領域の外側に装着された前飾り部材に証紙台が配置されており、この証紙台に証紙を貼着するようにしている（特許文献１）。
【０００３】
証紙台は遊技盤を遊技盤装着枠に固定するための固定手段の前側に対応して配置され、固定手段を前側から覆い且つ遊技盤の前面と略平行な証紙台配置位置と、固定手段の前側から退避する退避位置との間で上下方向のヒンジ軸廻りに前飾り部材に開閉自在に枢着されている。
【０００４】
前飾り部材の前面には証紙台用の取り付け凹部があり、この取り付け凹部内に証紙台と、この証紙台のヒンジ軸を前飾り部材との間で回動自在に保持するヒンジ板とが左右に配置されている。ヒンジ板の裏面側にはヒンジ軸が入る受け溝と取り付けボスとがあり、その受け溝にヒンジ軸が入った状態でヒンジ板が前飾り部材の裏側から挿通されて取り付けボスに螺合するネジにより前飾り部材に着脱自在に固定されている。
【先行技術文献】
【特許文献】
【０００５】
【特許文献１】特開２００３−６２３０９号公報
【発明の概要】
【発明が解決しようとする課題】
【０００６】
従来の証紙台の取り付け構造は、前飾り部材に裏側から挿通したネジによりヒンジ板を前飾り部材に固定しており、ヒンジ板を前側から装着できないので、組立て時の作業が煩雑になる欠点がある。
【０００７】
本発明は、このような従来の問題点に鑑み、証紙台の組み立て作業を容易に行える遊技機を提供することを目的とする。
【課題を解決するための手段】
【０００８】
本発明は、機種情報が表示された証紙を貼付する証紙台と、該証紙台を遊技盤の前飾り部材に着脱自在に装着する装着手段とを備えた遊技機において、前記装着手段は前記証紙台を前記前飾り部材の前側から装着し、前記証紙台の取り外し時には前記前飾り部材の裏側から解除するようにしたものである。
【０００９】
前記装着手段は前記証紙台に設けられたヒンジ軸と、該ヒンジ軸を回動自在に枢支する一対の枢支部とを有し、該一対の枢支部の少なくとも一方は、前記前飾り部材との間で前記ヒンジ軸を押える押え具を有し、該押え具は前記前飾り部材に前側から装着され且つ前記前飾り部材の裏側で解除可能であることもある。
【００１０】
前記一対の枢支部の内、一方の枢支部は前記ヒンジ軸が着脱自在に挿通され、他方の枢支部は前記前飾り部材に設けられ且つ前記ヒンジ軸を受ける受け部と、該受け部との間で前記ヒンジ軸を押える前記押え具とを有するものでもよい。前記証紙台は前記遊技盤を遊技盤装着枠に固定する固定手段を前側から覆う証紙台配置位置と、前記固定手段を操作可能にその前側から退避する退避位置との間で前記ヒンジ軸廻りに回動自在であってもよい。
【００１１】
前記押え具は前記受け部との間で前記ヒンジ軸を押える押え部と、前記ヒンジ軸の両側で前記押え部から前記前飾り部材側に突出する係合爪とを有し、前記係合爪は前記前飾り部材に前側から挿入されて裏側で前記前飾り部材に係合するものでもよい。前記証紙台を前記証紙台配置位置に保持する第１保持手段と前記退避位置に保持する第２保持手段とを備え、前記第１保持手段は前記ヒンジ軸から離れた位置に、前記第２保持手段は前記ヒンジ軸の外周近傍に夫々配置されているものでもよい。
【発明の効果】
【００１２】
本発明によれば、前飾り部材を遊技盤に装着した後に、その前飾り部材に証紙台を装着することができる利点がある。
【図面の簡単な説明】
【００１３】
【図１】本発明の第１の実施形態を示すパチンコ機の斜視図である。
【図２】同ガラス扉、前面板を取り外した状態の正面図である。
【図３】同証紙台付近の正面図である。
【図４】同図３のＶ−Ｖ線断面図である。
【図５】同図３のＷ−Ｗ線断面図である。
【図６】同図３のＸ−Ｘ線断面図である。
【図７】図３のＹ−Ｙ線断面図である。
【図８】同証紙台が退避状態の平面断面図である。
【図９】同証紙台付近の分解破断斜視図である。
【図１０】本発明の第２の実施形態を示す証紙台装着部の断面図である。
【図１１】本発明の第３の実施形態を示す証紙台付近の分解破断斜視図である。
【図１２】同断面図である。
【図１３】本発明の第４の実施形態を示す証紙台付近の破断正面図である。
【図１４】同断面図である。
【図１５】本発明の第５の実施形態を示す証紙台付近の破断正面図である。
【図１６】同断面図である。
【発明を実施するための形態】
【００１４】
以下、本発明の各実施形態を図面に基づいて詳述する。図１〜図９は本発明をパチンコ機に採用した第１の実施形態を例示する。パチンコ機１は、図１に示すように、矩形状の外枠２と、この外枠２の前側に上下一対のヒンジ３により縦軸廻りに開閉自在に枢着された前枠４とを備えている。前枠４の前側にはガラス扉５と前面板６とが上下に配置され、前枠４に対してヒンジ３と略同一軸心上のヒンジ７により縦軸廻りに開閉自在に枢支されている。
【００１５】
前枠４は閉状態で外枠２に対して施錠手段（図示省略）により施錠可能であり、ガラス扉５、前面板６は閉状態で前枠４に対して施錠手段１０，１１（図２参照）により施錠可能である。前枠４の前面には、ガラス扉５とは別に施錠手段１０，１１用の鍵穴等の解除操作部９が設けられている。
【００１６】
ガラス扉５は後述の遊技盤１２の遊技領域１３と略対応する窓孔１４が設けられた扉枠１９と、この扉枠１９の裏側に着脱自在に装着され且つ窓孔１４を塞ぐガラス板ユニット１５とを備え、窓孔１４のガラス板ユニット１５を介して遊技領域１３を視認するようになっている。前面板６には発射用の遊技球を貯留する貯留皿１６と、発射操作用の発射ハンドル１７とが装着されている。貯留皿１６の前側には演出用操作部兼用の回転灯１８が設けられている。
【００１７】
前枠４には、図２に示すように、ガラス扉５の裏側に対応して遊技盤装着枠２０が設けられ、この遊技盤装着枠２０の下側に前面板６の裏側に対応して下セット板２１が設けられている。遊技盤装着枠２０には前側から遊技盤１２が着脱自在に装着され、上下一対の固定手段２２により遊技盤装着枠２０内で固定されている。遊技盤１２は装着時には左右一端側を遊技盤装着枠２０内に挿入して、その一端側を支点として回動させながら遊技盤装着枠２０内に嵌め込み、離脱時には一端側を支点として回動させながら遊技盤装着枠２０から取り外すようになっている。下セット板２１には、遊技盤１２へと遊技球を発射する発射手段２３、効果音用のスピーカ２４等が装着されている。
【００１８】
固定手段２２は遊技盤１２の他端側の切り欠き部２５に対応して遊技盤装着枠２０側に設けられており、図３、図４に示すように、遊技盤装着枠２０側に固定された固定ブラケット２６と、固定ブラケット２６に枢軸２７により回動自在に枢着され且つ遊技盤１２を前後から挟むコ字状の挟持部材２８と、挟持部材２８を取り出し方向に回動させるための操作部２９等を備えている。
【００１９】
遊技盤１２の装着時には挟持部材２８が斜め前方で遊技盤１２を受け入れ可能な状態にあり、その状態の挟持部材２８に遊技盤１２の端部が入った後、遊技盤１２の端部を後方へと押し込むことにより、挟持部材２８が枢軸２７廻りに図４の装着状態へと時計方向に回動して遊技盤１２を固定し、また遊技盤１２を取り出すときには、操作部２９を操作して挟持部材２８を枢軸２７廻りに反時計方向へと回動させることにより、挟持部材２８が遊技盤１２の端部を前側へと押し出すようになっている。
【００２０】
発射手段２３は発射ハンドル１７を把持して回動操作したときに、貯留皿１６から１個ずつ供給された遊技球を、発射ハンドル１７の回動角に応じた打撃力で遊技盤１２側へと発射するためのもので、図２に示すように、下セット板２１に装着された発射板３２と、この発射板３２に固定された発射レール３３と、発射板３２に前後方向の駆動軸３４廻りに回動自在に枢着され且つ発射レール３３上に供給された遊技球を発射方向に打撃する打撃槌３５と、駆動軸３４を介して打撃槌３５を駆動するロータリソレノイド等の駆動手段３６とを備えている。
【００２１】
遊技盤１２の前面には、図１に示すように、発射手段２３から発射された遊技球を遊技領域１３へと案内する略円弧状のガイドレール３８と、このガイドレール３８の上部終端側から下部始端側に跨がってガイドレール３８と反対側に配置され且つ遊技領域１３を外側から取り囲む前飾り部材３９とが装着されている。
【００２２】
前飾り部材３９の下部隅部には、下側の固定手段２２の前側に対応して証紙台４０が配置され、この証紙台４０の前面に、機種情報が表示された証紙４１が粘着剤を介して貼着されている。証紙台４０は前飾り部材３９の下隅部に形成された取り付け凹部４２内に配置され、ヒンジ軸４３を有する装着手段４４により、着脱自在及び開閉自在に装着されている。なお、証紙台４０、証紙４１は少なくともその一部がガラス扉５の窓孔１４内に位置し、証紙４１の有無、証紙４１の機種情報の少なくとも一部等を窓孔１４のガラス板ユニット１５を介して視認できるようになっている。
【００２３】
遊技盤１２の遊技領域１３内には、図２に示すように画像表示手段４６、普通図柄始動手段４７、特別図柄始動手段４８、可変入賞手段４９、普通入賞手段５０、普通図柄表示手段５１、特別図柄表示手段５２等の各種の遊技部品が配置されている。
【００２４】
画像表示手段４６は遊技領域１３の左右方向の略中央の上部に配置され、特別図柄始動手段４８と可変入賞手段４９は画像表示手段４６の下側に上下に配置されている。普通入賞手段５０は可変入賞手段４９の左右両側に設けられている。特別図柄始動手段４８は非開閉式入賞口４８ａと開閉式入賞口４８ｂとを有する。
【００２５】
普通図柄始動手段４７は画像表示手段４６とガイドレール３８との間に配置されている。画像表示手段４６は液晶式等の画像表示部５４と、画像表示部５４に対応する表示窓５５を有し且つ遊技盤１２の前面に装着された前飾り枠５６とを備えている。前飾り枠５６の上部側の前面に普通図柄表示手段５１と特別図柄表示手段５２とが装着されている。
【００２６】
普通図柄表示手段５１は普通図柄を変動表示するためのもので、複数種類の普通図柄（例えば２種類の「○」「×」）に対応する複数個の発光素子により構成されており、普通図柄始動手段４７が遊技球を検出することを条件に２個の発光素子が交互に点灯するように所定時間点滅して、普通図柄始動手段４７の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２７】
特別図柄表示手段５２は発光部位の変化等で特別図柄を変動表示可能なセグメント式等により構成されており、特別図柄始動手段４８が遊技球を検出することを条件に、特別図柄が所定時間変動して、特別図柄始動手段４８の遊技球の検出時に抽選された乱数値が予め定められた大当たり判定値と一致した場合に所定の大当たり態様で、それ以外の場合に外れ態様で停止するようになっている。
【００２８】
特別図柄始動手段４８の開閉式入賞口４８ｂは、普通図柄表示手段５１の変動後の停止図柄が当たり態様となったときに所定時間（短時間）だけ開放するようになっている。可変入賞手段４９は開閉板４９ａを有し、特別図柄表示手段５２の変動後の特別図柄が大当たり態様となって特別遊技状態が発生したときに開閉板４９ａが前側に開放して、上方から落下する遊技球を入賞させるようになっている。特別遊技状態中は開閉板４９ａの開放から所定時間（例えば３０秒程度）が経過するか、その間に所定数（例えば１０個）の遊技球が入賞したときに開閉板４９ａを閉じる動作を１ラウンドとし、この動作を所定回数（例えば１６ラウンド）継続するようになっている。
【００２９】
画像表示部５４は特別図柄表示手段５２の特別図柄に対応する演出図柄５７ａ，５７ｂ，５７ｃの変動表示、回転灯１８の操作指示画像５８を表示する操作指示等、遊技の進行に従って適宜タイミングで各種の演出画像を随時表示するものである。即ち、特別図柄表示手段５２の特別図柄の変動に際しては、その特別図柄の変動に同期して１個又は複数個、例えば３個の演出図柄５７ａ〜５７ｃが画像表示部５４に変動表示される。このとき演出図柄５７ａ〜５７ｃは特別図柄始動手段４８の遊技球の検出を条件に、抽選により決定された所定の演出図柄変動パターンを経て所定時間変動した後、特別図柄の変動終了に同期して所定の順序（例えば左、右、中等の順序）で順次停止する。
【００３０】
演出図柄５７ａ〜５７ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００３１】
例えば、演出図柄５７ａ〜５７ｃには０〜９までの数字図柄が使用されており、特別図柄が大当たり態様で停止する場合には演出図柄５７ａ〜５７ｃは「７・７・７」等の大当たり演出態様で停止し、特別図柄が外れ態様で停止する場合には演出図柄５７ａ〜５７ｃは「２・４・５」等の外れ演出態様で停止する。
【００３２】
回転灯１８の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄５７ｂを除く２個の演出図柄５７ａ，５７ｃが同じとなるリーチとなった場合に、画像表示部５４の所定箇所に回転灯１８の操作を指示する操作指示画像５８が表示される。
【００３３】
例えば特別図始動手段４８が遊技球を検出したときに大当たりを抽選しており、変動後の特別図柄が大当たり態様となった後に特別遊技状態が発生する場合には、その操作指示画像５８に従って図柄変動中に適宜タイミングで回転灯１８を押圧操作すれば、回転灯１８が回転しながら明滅発光する回転発光状態となって、その後の大当たり態様での特別図柄の停止、及びこれに続く特別遊技状態の発生を予告する。
【００３４】
前飾り部材３９は図３〜図６、図９に示すように、遊技領域１３を取り囲む囲繞部６２と、この囲繞部６２の前端から外側に屈曲する前壁部６３とを一体に有し、その下隅部に証紙台４０用の取り付け凹部４２が設けられている。取り付け凹部４２は、前壁部６３から遊技盤１２側へと後側に屈曲し且つ固定手段２２側が開放するコ字状の周壁部６８と、取り付け凹部４２の固定手段２２から左右方向に離れた位置で周壁部６８の後端側に一体に形成された奥壁部６４とを有する。
【００３５】
証紙台４０は、図３〜図９に示すように、固定手段２２を前側から覆う横長矩形状であって、前側の板状の証紙貼付部６５と、この証紙貼付部６５の裏面に一体に形成され且つ上下の周壁部６８間に前側から嵌脱する補強リブ６６とを有し、左右方向の一端側に一対の突出部６７を介して上下方向のヒンジ軸４３が設けられている。なお、証紙台４０の証紙貼付部６５にはヒンジ軸４３側に貼付基準を示す溝状の目印６５ａが上下方向に設けられ、また上縁には前側に突出してその下側の証紙４１を上側から保護する保護部６９が左右方向の突条に設けられている。
【００３６】
証紙台４０は装着手段４４により前飾り部材３９に対して着脱自在に装着され、遊技盤１２と略平行で固定手段２２を前側から覆う証紙台配置位置Ａ（図４、図７参照）と、固定手段２２を操作可能にその前側から退避する退避位置Ｂ（図８参照）との間でヒンジ軸４３廻りに回動自在に枢着されている。なお、証紙台４０は証紙台配置位置Ａではその裏面が周壁部６８の段差部６３ａに当接している。
【００３７】
装着手段４４は、図３〜図７に示すように、ヒンジ軸４３の上下両側を回動自在に枢支する上下一対の枢支部７１を有し、この装着手段４４は前飾り部材３９の前側から証紙台４０を取り付け、また証紙台４０を取り外すときには前飾り部材３９で解除するようになっている。下側の枢支部７１は前飾り部材３９の下側の周壁部６８に一体に形成され且つヒンジ軸４３の下端側が軸方向に挿脱自在に挿入された枢支孔７１ａにより構成されている。上側の枢支部７１は前飾り部材３９の奥壁部６４に一体に設けられ且つヒンジ軸４３の上端側を裏側から受ける受け部７２と、この受け部７２との間でヒンジ軸４３を押えて着脱自在に保持する押え具７３とを有する。なお、装着手段４４を上下逆にして、枢支孔７１ａをヒンジ軸４３の上部側に配置し、受け部７２、押え具７３をヒンジ軸４３の下部側に配置してもよい。
【００３８】
押え具７３は、図３〜図５、図９に示すように、取り付け凹部４２の周壁部６８と証紙台４０及びその突出部６７との間を前側から塞ぐ蓋部７４と、この蓋部７４から裏側に突出してヒンジ軸４３を押える押え部７５と、蓋部７４から裏側に突出して奥壁部６４に当接する当接部７６と、ヒンジ軸４３の両側で当接部７６よりも裏側へと突出する一対の係合爪７７とを有する。各係合爪７７は前飾り部材３９の奥壁部６４に形成された通孔７８に前側から挿脱自在に挿入され、その弾性により前飾り部材３９の奥壁部６４に裏側で係脱自在に係合されている。
【００３９】
そして、押え具７３は前飾り部材３９を遊技盤１２に固定した状態でも、一対の係合爪７７を前飾り部材３９の奥壁部６４の通孔７８に前側から挿入して、その係合爪７７を奥壁部６４の裏側に係合させることにより前飾り部材３９に取り付けることができる。また押え具７３は前飾り部材３９を遊技盤１２から取り外した状態であれば、その裏側で一対の係合爪７７を接近方向に弾性変形させて奥壁部６４との係合を解除することにより、前飾り部材３９から取り外すことができる。
【００４０】
証紙台４０と前飾り部材３９との間には、図７〜図９に示すように、証紙台４０を証紙台配置位置Ａに保持する第１保持手段７９と、証紙台４０を解除位置に保持する第２保持手段８０とが設けられている。第１保持手段７９は証紙台４０の上縁から上側に突出して形成された係合部８１と、この係合部８１に対応して前飾り部材３９の上側の周壁部６８に形成され且つ証紙台４０が証紙台配置位置Ａのときに係合部８１に係脱自在に係合する被係合部８２とを有し、ヒンジ軸４３から遊端側に離れて配置されている。
【００４１】
第２保持手段８０は一方の突出部６７の先端に設けられた突部等の係合部８３と、受け部７２の下側で奥壁部６４に一体に設けられ且つ証紙台４０が退避位置Ｂのときに係合部８３が係脱自在に係合する被係合部８４とを有し、ヒンジ軸４３の外周近傍に配置されている。なお、第１保持手段７９、第２保持手段８０は上下逆に設けてもよいし、上下両側に一対設けてもよい。
【００４２】
このような構成の証紙台４０を備えたパチンコ機では、次のような利点がある。証紙台４０には機種情報が表示された証紙４１を貼付するが、この証紙台４０は装着手段４４を介して前飾り部材３９の前側から装着するようにしているので、証紙台４０の組み立て作業を容易に行える利点がある。
【００４３】
また証紙台４０に証紙４１を貼付してから、その証紙台４０を装着手段４４を介して遊技盤１２の前面の前飾り部材３９に取り付けることも可能であるし、証紙台４０を装着手段４４を介して遊技盤１２の前面の前飾り部材３９に取り付けてから、その証紙台４０に証紙４１を貼付することも可能である。このため証紙台４０に対する証紙４１の貼付と、証紙台４０の前飾り部材３９に対する取り付けとの前後関係が問題になることはなく、必要に応じて適宜順序で作業を行うことができる。
【００４４】
従って、例えば証紙台４０に証紙４１を貼付してから、その証紙台４０を装着手段４４を介して遊技盤１２の前面の前飾り部材３９に取り付けるような場合には、遊技盤１２に組み付けた後の証紙台４０に証紙４１を貼付する場合に比較して証紙４１の貼付作業を容易にでき、また仮に証紙４１の貼付ミスがあって証紙台４０から剥がす場合も、遊技盤１２に比較して小型で軽く取り扱いが容易である証紙台４０が対象であるため、その作業を容易に行うことができる。
【００４５】
装着手段４４は前飾り部材３９から取り外すときには前飾り部材３９の裏側で解除するようにしているので、証紙台４０を遊技盤１２の前飾り部材３９に取り付けた後は、前飾り部材３９を遊技盤１２から取り外さない限り、証紙台４０を前飾り部材３９から取り外すことはできない。このため証紙４１が貼付された証紙台４０を遊技盤１２の前飾り部材３９から不正に取り外して、不正証紙４１が貼付された別の証紙台４０に交換する等の不正行為を未然に防止でき、信頼性が向上する。
【００４６】
装着手段４４はヒンジ軸４３の両端部を枢支する一対の枢支部７１の内、一方の枢支部７１のヒンジ軸４３を挿脱自在とし、他方の枢支部７１にはヒンジ軸４３を受ける受け部７２と、この受け部７２との間でヒンジ軸４３を押える押え具７３とを有する構造としているので、ヒンジ軸４３の一端側を一方の枢支部７１に挿入し、他端側を他方の枢支部７１の押え具７３を前側から装着して、その押え具７３により受け部７２との間でヒンジ軸４３を押えることにより、証紙台４０を前飾り部材３９に容易に装着できる。
【００４７】
押え具７３は受け部７２との間でヒンジ軸４３を押える押え部７５と、ヒンジ軸４３の両側で押え部７５から前飾り部材３９側に突出する係合爪７７とを有し、係合爪７７は前飾り部材３９に前側から挿入されて裏側で前飾り部材３９に係合するようにしているので、押え具７３を含む装着手段４４を構造的に簡素化できると共に、押え具７３の装着、解除を容易に行うことができる。
【００４８】
前枠４には遊技盤装着枠２０に遊技盤１２を固定する固定手段２２があり、遊技盤装着枠２０に嵌め込んだ状態の遊技盤１２を固定手段２２により固定し、また遊技盤１２を取り外す場合には、固定手段２２の操作部２９を手前に引いて挟持部材２８を介して遊技盤装着枠２０から引き出す。
【００４９】
遊技領域１３から外側の遊技盤１２の外周部分に固定手段２２と証紙台４０とがあるが、固定手段２２の前側に証紙台４０があり、その証紙台４０が固定手段２２を前側から覆う証紙台配置位置Ａと、固定手段２２を前側から操作可能に退避する退避位置Ｂとの間でヒンジ軸４３廻りに回動自在であるため、遊技盤１２の外周の狭い部分を有効に利用して固定手段２２と証紙台４０とを設けることができ、また証紙台４０が固定手段２２の操作の障害となるようなこともない。
【００５０】
証紙台４０は第１保持手段７９により証紙台配置位置Ａに、第２保持手段８０により退避位置Ｂに夫々保持しているため、ヒンジ軸４３廻りに回動自在であるにも拘わらず、証紙台４０がヒンジ軸４３廻りに不安定に回動するようなこともない。しかも第１保持手段７９はヒンジ軸４３から離れた位置に配置しているため、証紙台４０を証紙台配置位置Ａに確実に保持できる。第２保持手段８０はヒンジ軸４３の外周近傍に配置しているので、その小型化を図ることができる。また第２保持手段８０は固定手段２２の操作時に証紙台４０を退避位置Ｂに保持できればよいので、ヒンジ軸４３の外周近傍に配置しても支障はない。
【００５１】
図１０は本発明の第２の実施形態を例示する。この実施形態では、装着手段４４の上下の枢支部７１が共に受け部７２と押え具７３とにより構成されている。受け部７２、押え具７３を含む他の構成は、第１の実施形態と同様である。
【００５２】
このように装着手段４４は、一対の枢支部７１に押え具７３を設けて、その各押え具７３によりヒンジ軸４３の両端部を押えるようにしてもよい。
【００５３】
図１１、図１２は本発明の第３の実施形態を例示する。この実施形態では、証紙台４０の一対の突出部６７間にヒンジ軸４３が設けられ、また一対の突出部６７間に、前飾り部材３９の奥壁部６４の受け部７２と、この受け部７２との間でヒンジ軸４３を押える押え具７３とが設けられている。
【００５４】
押え具７３はヒンジ軸４３の長手方向に長く構成された蓋部７４と、この蓋部７４の長手方向の両端に各受け部７２に対応して設けられた押え部７５と、ヒンジ軸４３の両側で蓋部７４から後方に突出する一対の係合爪７７とを備え、その各係合爪７７が奥壁部６４の通孔７８に挿入されて奥壁部６４に裏側で係合している。
【００５５】
このように装着手段４４は、一対の突出部６７間に押え具７３を配置して、その押え具７３の押え部７５と受け部７２との間でヒンジ軸４３を保持するようにしてもよい。またヒンジ軸４３を枢支孔等に挿入する必要がなく、しかも１個の押え具７３により受け部７２との間でヒンジ軸４３を保持できるので、証紙台４０を前飾り部材３９に装着する作業も容易にできる。
【００５６】
図１３、図１４は本発明の第４の実施形態を例示し、同一軸心上に配置された一対のヒンジ軸４３を前飾り部材３９側に設けたものである。前飾り部材３９の上下の周壁部６８に一対のヒンジ軸４３が相対向して配置されている。この一対のヒンジ軸４３の内、その一方、例えば下側のヒンジ軸４３は周壁部６８に固定され、他方、例えば上側のヒンジ軸４３は周壁部６８に軸心方向に摺動自在に挿通され、バネ８８で突出方向に付勢されている。
【００５７】
証紙台４０の上下両側から裏側に屈曲する屈曲部８９（又は補強リブ６６）には、各ヒンジ軸４３が挿脱自在に挿入される挿入孔、挿入凹部等の挿入部９０が設けられている。また上側のヒンジ軸４３は前飾り部材３９の裏側で把持することにより、バネ８８に抗して軸心方向に摺動することにより、証紙台４０の挿入部９０から離脱するようになっている。
【００５８】
上側の屈曲部８９には、下側のヒンジ軸４３を挿入部９０に挿入して下側を支点として屈曲部８９を上側のヒンジ軸４３側へと図１４の矢示方向に回動させたときに、ヒンジ軸４３をバネ８８に抗して後退させてヒンジ軸４３を挿入部９０へと案内する案内部８９ａが設けられている。他の構成は第１の実施形態と同様である。
【００５９】
この場合にも、前飾り部材３９を遊技盤１２に装着した後に、その前飾り部材３９に証紙台４０を装着できる。また証紙台４０を前飾り部材３９に装着した後は、前飾り部材３９を遊技盤１２から取り外して、前飾り部材３９の裏側で上側のヒンジ軸４３を離脱方向に摺動させることにより、証紙台４０を前飾り部材３９から取り外すことができる。
【００６０】
このようにヒンジ軸４３を前飾り部材３９側に設けることもできる。またヒンジ軸４３を証紙台４０側の挿入部９０に対して挿脱することにより、各実施形態に例示するような押え具７３を使用せずに実施することもできる。
【００６１】
図１５、１６は本発明の第５の実施形態を例示する。この実施形態では、証紙台４０の屈曲部８９に短い突起状のヒンジ軸４３が固定されている。前飾り部材３９の上下の周壁部６８の内、一方、例えば上側の周壁部６８にはヒンジ軸４３が挿脱自在に挿入される挿入部９０が設けられ、また他方、例えば下側の周壁部６８には両側のスリット６３ｂ等を介して弾性変形可能に区画された弾性部９２と、この弾性部９２に形成され且つヒンジ軸４３が挿脱自在に挿入される挿通孔等の挿入部９０が設けられている。
【００６２】
証紙台４０は一方の周壁部６８に係合するヒンジ軸４３を支点として図１６の矢示方向に回動させたときに、弾性部９２が弾性変形して他方のヒンジ軸４３がその弾性部９２の挿入部９０に挿入されるので、前側から前飾り部材３９に装着可能であり、また前飾り部材３９を取り外した後、前飾り部材３９の裏側から弾性部９２をヒンジ軸４３から離脱方向に弾性変形させることにより、証紙台４０を前飾り部材３９から取り外すことができる。
【００６３】
このようにすれば、装着手段４４の構造を更に簡素化することができる。また弾性部９２は裏側からのみ操作可能であり、証紙台４０の不正な交換等を防止できる。
【００６４】
以上、本発明の各実施形態について例示したが、本発明は各実施形態に限定されるものではなく、本発明の趣旨を逸脱しない範囲内で種々の変更が可能であることは云うまでもい。例えば、証紙台４０は前飾り部材３９の下側隅部で固定手段２２の前側に横長状に配置して、上下方向のヒンジ軸４３廻りに回動するようにしているが、証紙台４０の裏側に、前側から操作するようなものがない場合には、証紙台４０は前飾り部材３９に単に着脱自在に装着してもよい。その場合、証紙台４０は前飾り部材３９に対して前側から装着できるが、証紙台４０を取り外すときには前飾り部材３９の裏側で証紙台４０の取り付けを解除するようにすればよい。
【００６５】
また証紙台４０に表示された機種情報は、その遊技機の特定に必要な情報又は特定に十分な情報であればよいが、この機種情報には例えば遊技機の管理番号、製造企業名、製造年度等が考えられ、更にはこれらを一次元化した一次元化コード、又は二次元化した二次元コード等が考えられる。
【００６６】
固定手段２２等の前側に証紙台４０を配置する場合にも、証紙台４０は左右方向のヒンジ軸４３廻りに開閉するようにしてもよい。装着手段４４のヒンジ軸４３は前飾り部材３９、証紙台４０の何れか一方に設ければよい。証紙台４０の位置は前飾り部材３９の下隅部以外でもよい。また証紙台４０の裏側の固定手段２２に代えて、前側から操作する締結手段、その他のものを設けてもよい。従って、証紙台４０の裏側には、前側から操作する前側操作手段が配置されておればよい。第１保持手段７９、第２保持手段８０は一体に設けることも可能である。
【００６７】
また実施形態はパチンコ機について例示しているが、アレンジボール機等のパチンコ機以外の弾球遊技機においても同様に実施可能であるし、遊技盤を使用する遊技機であれば弾球遊技機以外のものでもよい。
【符号の説明】
【００６８】
１２  遊技盤
２０  遊技盤装着枠
２２  固定手段
３９  前飾り部材
４０  証紙台
４１  証紙
４３  ヒンジ軸
４４  装着手段
７１  枢支部
７２  受け部
７３  押え具
７５  押え部
７７  係合爪
７９  第１保持手段
８０  第２保持手段
Ａ  証紙台配置位置
Ｂ  退避位置
【図１】
2013179949.tif 000003
【図２】
2013179949.tif 000004
【図３】
2013179949.tif 000005
【図４】
2013179949.tif 000006
【図５】
2013179949.tif 000007
【図６】
2013179949.tif 000008
【図７】
2013179949.tif 000009
【図８】
2013179949.tif 000010
【図９】
2013179949.tif 000011
【図１０】
2013179949.tif 000012
【図１１】
2013179949.tif 000013
【図１２】
2013179949.tif 000014
【図１３】
2013179949.tif 000015
【図１４】
2013179949.tif 000016
【図１５】
2013179949.tif 000017
【図１６】
2013179949.tif 000018